(57)【要約】      （修正有）【課題】一回の作業で簡単に、錠剤を一粒ずつ確実に取り出し、ケースの詰め替えが出来る事。【解決手段】本体ケースと錠剤収納ケース、錠剤取り出し機能部、錠剤受け蓋からなる錠剤ケースであり、錠剤取出し機能部の上下稼動は、ボタン1に付属している稼動壁2と丸棒8、スプリング5、稼動壁に付属しているバネ押し部材4、横ブレ防止部材7、本体ケース付属のバネ受け部材6、バネ押し部材受け3と横ブレ防止部材9によって構成され、錠剤取り出し機能部下方に錠剤一粒収納スペース10が付属しており、この10には錠剤収納ケースに収容された錠剤を一粒だけ収容できるスペースと、底面の傾斜によって本体ケース外下方へ稼動した時、錠剤が錠剤受け蓋19へ転がる事により錠剤が取出せ、錠剤収納ケースは本体上部開口部から出し入れが出来る事を特徴とする。【選択図】図６
2011068378.tif 000002
【特許請求の範囲】
【請求項１】
本体ケースと本体内部の錠剤収納ケース、錠剤取り出し機能部、本体ケース下部に勘合される錠剤受け蓋によって構成された錠剤ケースであり、錠剤収納ケースに収まった錠剤が、錠剤取り出し機能部に付属している錠剤一粒収納スペース部に入り、錠剤取り出し機能部のボタンを押すことによって錠剤取り出し機能部全体が下方にスライドし、錠剤一粒収納スペース部が本体ケース外下方へ押し出されたことで、錠剤収納スペース部に収納されていた錠剤が錠剤受け蓋に転がり込むことを特徴とした錠剤ケース。
【請求項２】
錠剤収納ケースは上部側面に錠剤収納ケース取り出しツメがあり、本体ケース上部開口部から上方へスライドする事により取り出す事が可能な錠剤ケースであり、同様に錠剤収納ケースを本体ケース上部開口部から下方へスライドさせる事により、錠剤収納ケースを本体ケースへ収納出来る事を特徴とした請求事項1記載の錠剤ケース。
【請求項３】
錠剤収納ケース下方は、下方に行くにつれて幅が狭くなるように錠剤収納ケースの側面両壁が下方へと傾斜し、底面は錠剤が一列しか並ばない幅になっている錠剤ケースであり、錠剤ケースに収容された錠剤が、錠剤取り出し機能部の錠剤一粒収納スペースへと転がって行けるように傾斜している事を特徴とする請求項1記載の錠剤ケース。
【請求項４】
錠剤取り出し機能部は、ボタンに付属された稼動壁、丸棒、スプリング、錠剤一粒収納スペース部、稼動壁に付属しているバネ押し部材と横ブレ防止部材によって構成された錠剤ケースであり、スプリングはこのバネ押し部材と、本体ケース側面に付属しているバネ受け部材によって上下の伸縮を行い、バネ押し部材は本体上部に付属のバネ押し部材受けによってスプリングの上方への伸びを制御している事を特徴とする請求項1記載の錠剤ケース。
【請求項５】
錠剤取り出し機能部に付属している稼動壁は、錠剤収納ケースに収容された錠剤が常に接している為、稼動壁が上下稼動すると錠剤が動き、錠剤の詰まりを防止する事を特徴とした請求事項1記載の錠剤ケースである。
【請求項６】
錠剤取り出し機能部に付属している錠剤一粒収納スペース部は、錠剤収納ケース底面の傾斜よりも、錠剤3分の1程下の位置に向かい合わさる様傾斜している錠剤ケースであり、本体ケース外下方へ押し出された時、錠剤一粒収納スペースに収容された錠剤が、錠剤受け蓋へと転がって行ける様に傾斜している事を特徴とした請求事項１記載の錠剤ケース。
【発明の詳細な説明】
【技術分野】
【０００１】
本発明は、球形の錠剤やカプセル等の薬剤、健康食品、サプリメント、栄養剤、菓子類を収納し、片手１回の作業で確実に一粒ずつ取り出すことが出来る、詰め替え可能な携帯型錠剤ケースを提供する。
【背景技術】
【０００２】
従来でも、複数個錠剤などを収納した容器において、個別に錠剤をケースから取り出すことの出来る錠剤ケースは、従来から知られている。(例えば、特許文献１参照)。又、従来は詰め替えが出来る錠剤ケースはなかった。
【先行技術文献】
【特許文献】
【０００３】
【特許文献１】特開平８−１１９３４９号公報
【発明の概要】
【発明が解決しようとする課題】
【０００４】
上記従来の技術においては、使用方法が判りにくく、初めて使用する人や年配の方には使用が困難な点があった。なおかつ両手での作業を要するために、小さな子供をいる家庭や、体の不自由な人にとっても使用が困難な点がある。又、詰め替えが出来ない為、ケース自体が使い捨てになり、環境負荷に対しても問題がある。
【０００５】
本発明は、上記従来技術の問題点を解決することを課題として、片手一回の作業で、簡単に素早く、確実に一粒ずつ錠剤が取り出き、詰め替え可能な携帯型錠剤ケースを提供する事を目的とする。
【課題を解決するための手段】
【０００６】
この発明は、本体ケースと本体内部の錠剤収納ケース、錠剤取り出し機能部、本体ケース下部に勘合される錠剤受け蓋によって構成される。
本体ケース内部の半分を錠剤収納部、もう半分を錠剤取り出し機能部によって形成され、錠剤収納部と錠剤取り出し機能部の仕切り壁は、錠剤取り出し機能部の稼動壁によって形成される。
【０００７】
錠剤取り出し機能部はボタン、稼動壁、丸棒、スプリングと錠剤一粒収納スペースによって形成される。稼動壁は、錠剤取り出し機能部と錠剤収納ケースを隔てるパーテーションとしての部材であるが、錠剤収納ケースに収まっている錠剤と常に接触している為、稼動壁が上下稼動するたびに錠剤が動く。これによって錠剤が重なり合った時に起こる詰まりを軽減させる部材でもある。この稼動壁には二つの突起した部材が付いており、二つ共に丸棒よりわずかに大きい丸穴が開いている。この穴に丸棒を通すことによって、横ブレせずに上下スライドが可能になる。又、この突起部材の一つはスプリングを押すためのバネ押し部材でもある。このバネ押し部材の上方に、本体ケース付属のバネ押し部材受けがあり、このバネ押し部材がスプリングの伸縮により上方へ行くことを制御している。本体ケース自体の内部側面にも突起部材が二つ付いており、上記同様の丸穴が開いていて横ブレを防止している。又、この突起部材の一つは、稼動壁に付いたバネ押し部材が押したスプリングのバネ受け部材でもある。
【０００８】
錠剤収納ケースにおいては、ケース内部下方に行くにつれて幅が狭くなるように本体ケースの両壁が下方へと傾斜し、底面は錠剤が一列しか並ばない幅になっている。収納ケース底面は錠剤取り出し機能部側へ傾斜しており、この傾斜によって底面の錠剤が錠剤取り出し機能部の錠剤一粒収納スペースへと転がって行くようになっている。又、錠剤取り出し機能部の錠剤一粒収納スペースも、錠剤収納ケース底面と本体ケース中心で合わさるように傾斜しており、錠剤一粒収納スペースへ錠剤が一粒収納された時に、次の錠剤がこの収納スペースの錠剤とぶつかった状態で待機している。この時錠剤の３分の１程度、収納スペースに入った錠剤の方が本体ケース側の錠剤よりも下にセットされている。これは錠剤ケース自体の傾斜等によって、錠剤一粒収納スペースに収まっている錠剤が、錠剤収納ケースに戻らない為の構造である。
【０００９】
錠剤取り出し機能部のボタンを下方へ押すことにより、それに付属された稼動壁、丸棒、それの延長戦上にある錠剤一粒収納スペース部が、稼動壁と本体ケース内部側面に付いている全ての突起部材に開いた丸穴をガイドとして丸棒が通り、下方へとスライドする。それと同時にスプリングも稼動壁に付いたバネ押し部材によって下方へ押される。上記の作業により、錠剤の入った錠剤一粒収納スペースが本体ケース下方の外に押し出され、この収納スペースが傾斜している事により、錠剤が本体ケース下部に勘合された錠剤受け蓋に転がり落ちる構造である。又、ボタンを放すことにより本体ケース側面に付いているバネ受け部材で受けていたスプリングが上に伸び、本体ケース機能部側上方のバネ押し部材受けがバネ押し部材の受けとなり、それに付随した上記の稼動部材全ても元の位置に戻る。この時、空になった錠剤一粒収納スペース部へ、錠剤収納ケースで待機していた錠剤が錠剤収納スペース部に転がり込み、1回の作業が完了となる。
【００１０】
錠剤収納ケースの錠剤が空になった時、錠剤収納ケース側の本体ケース上面開口部から新しい錠剤収納ケースの詰め替えが出来る。空になった錠剤収納ケース上部側面にある錠剤ケース取り出しツメに指を掛け、上方へとスライドさせることによって、錠剤収納ケースを本体ケース開口部から取り出す事が出来る。錠剤の入った新しいケースは上記同様、本体ケース開口部から下方へとスライドさせ、錠剤ケース取り出しツメが開口部にぶつかったら挿入完了となる。
【発明の効果】
【００１１】
この発明の錠剤ケースは、球形の錠剤やカプセル等の薬剤、健康食品、サプリメント、栄養剤、菓子類などを収納し、片手一回の作業で、素早く確実に１粒取り出すことが出来るものである。錠剤一粒収納スペースの大きさを変えることにより、様々な大きさの錠剤にも応用が可能である。なおかつ錠剤の取り出し方法が、ボタンを押すと言う解りやすい作業な為、小さい子供や介護が必要な老人がいる家庭、体が不自由な人にも簡単に錠剤一粒を取り出す事が出来る。使用方法によっては、下方に付いた錠剤受け蓋を取りはずし、本体ケースから直接錠剤を一粒口に入れる事も出来、より素早い作業も可能である。また詰め替えが可能な為、錠剤が空になっても本体ケースを新たに用意する必要が無く、環境や経済的にも配慮するものである。
【産業上の利用可能性】
【００１２】
この発明は、薬剤、健康食品、菓子類等の錠剤を収容した容器であり、錠剤を個別に取り出す事ができ、詰め替えが可能な錠剤ケースに関する。
【発明を実施するための形態】
【００１３】
以下、この発明を実施するための形態は、図面に基づいて説明する。この錠剤ケースは図1、図2、図3、図4、図5、図6が示すように、本体ケースと錠剤収納部、錠剤取り出し稼動部、錠剤受け蓋によって構成されている。
【００１４】
図1、図2、図6が示す本体ケースは、錠剤取り出し機能部側にあるバネ押し部材の受けとなる3と、錠剤取り出し機能部が横ブレを防止する為の6、9、この内6はバネ受け部材となり、3、6、9共に錠剤取り出し機能部に付いた丸棒8が入る丸穴が中央に開いている。11は錠剤収納ケースが出入りする開口部である。18は錠剤受け蓋が勘合される為のガイドである。
【００１５】
図1、図3、図6が示す錠剤取り出し機能部は、錠剤を取り出す時に全体を下へ稼動させる為のボタン1、錠剤収納ケースと錠剤機能部を隔てるパーテーションとなり、錠剤収納ケース内にある錠剤の詰まりを防止させる稼動壁2、錠剤取り出し機能部を横ブレ防止させる4、7、その内4はバネ押し部材となり、4、7共に8の稼動軸となる丸棒が入る丸穴が中央に開いている。5は1を下方へ押すことによって稼動した錠剤取り出し機能部を、1を放す事によりまた上方へと戻す為のスプリングである。10は錠剤収納ケースから転がってきた錠剤を一粒だけを収納出来るスペースである。又、この10は錠剤ケースにある17と対面するように角度が傾斜しており、錠剤16が15より3分の1程度下に設置されるよう10よりも17の方が下に設置している。
【００１６】
図1、図4、図6が示す錠剤収納ケースは、本体ケースから取り出す時に指を引っ掛ける為の取り出しツメ12、錠剤取り出し機能部の1を下方へ押した時に、錠剤ケース内の錠剤が錠剤取り出し機能部への侵入防ぐ13、14は収納ケースに収まっている錠剤が錠剤取り出し機能部の10へ一粒ずつ転がって行ける様、錠剤ケース側面量壁が下方に行くほど幅が狭くなっており、底面は錠剤が一列しか並べない幅になっているガイドレールである。17は15の錠剤が錠剤取り出し機能部の10へ錠剤が転がって行ける様に、角度が傾斜している。又、上記にもあるよう10よりも17の方が上に設置されている。
【００１７】
図1、図5、図6が示す19は、錠剤取り出し機能部から一粒転がって来る錠剤を受け取る錠剤受け取り蓋であり、本体ケースの18が入るように勘合される。
【００１８】
次に、錠剤ケースから錠剤取り出し機能部へ通り、錠剤受け蓋に一粒錠剤が入るまでの工程を説明する。図7が示すようにまず1のボタンを下方へ押す事により、1と付属している2の稼動壁と8の丸棒、その延長線上にある10の錠剤一粒収納スペースが同時に下方へスライドする。この時8の丸棒は、3、4、5、6、7、9に開いた丸穴をガイドにして稼動する。それに伴い2の稼動壁に付属しているバネ押し部材4が、5のスプリングをケース本体に付属しているバネ受け部材6で受けながら下方へ押す。この動作により、錠剤16が入った10が本体外下方へと押し出され、10が傾斜している事から錠剤16が19の錠剤受け蓋へと転がり落ちる。
【００１９】
錠剤16が19の錠剤受け蓋に入ったら、図8が示すように1のボタンを放すと、バネ受け部材6で受けていたスプリング5が上方に伸び、錠剤取り出し機能部全体が上方に持ち上げられる。この時5に押されたバネ押し部材4が、本体ケースの天井面3へぶつかる事で錠剤取り出し機能部全体が最初の位置へと戻る。最初の位置へ戻ると、19へ16が入ったことによって空になった10に、錠剤収納ケースで待機していた錠剤15が、17が傾斜している事によって10の収納スペースへと転がり収まる。錠剤収納ケースに収まっている錠剤が2のパーテーションと接触している為、この上下スライドで錠剤が動き、錠剤同士の接触による詰まりが軽減される。
【００２０】
最後に図9が示すように、本体ケースにある18と勘合している錠剤請け蓋19を下方へスライドし、本体から放すことによって錠剤16を取り出すことが出来る。
【００２１】
この実施例の錠剤ケースは図4、図10が示すように、本体ケース内にある錠剤収納ケースが出し入れ可能な為、錠剤収納ケースの錠剤が空になった時に新しい錠剤ケースの詰め替えが可能である。錠剤収納ケースの錠剤が空になったら、錠剤収納ケースの取り出しツメ12に指を掛け、上方に引き上げる事により本体ケース上面の開口部11から取り出す事が出来る。そして図4が示す新しいケースを11から下方にスライドさせ、12のツメが11の開口部にぶつかるまで挿入する。この時錠剤収納ケースが垂直に挿入出来る様、本体ケース内にレールとなる溝があるのでこれをガイドとしスライドさせる。
【００２２】
尚、この実施例の錠剤ケースはステンレス等の鉄製のスプリングを使用しているが、これは鉄製に限らず樹脂等の素材でも良い。又、ケース自体は透明なアクリル等の樹脂素材を使用しているが、これも透明である必要は無い。本体ケースにおいては樹脂製に限らずガラス製等の素材でも良い。
【図面の簡単な説明】
【００２３】
【図１】全体の平面図
【図２】本体ケースの平面図
【図３】錠剤取り出し機能部の平面図
【図４】錠剤収納ケースの平面図
【図５】錠剤受け取り蓋の平面図
【図６】図1の斜視図
【図７】実施例の図A
【図８】実施例の図B
【図９】実施例の図C
【図１０】実施例の図D
【符号の説明】
【００２４】
1    ボタン
2    
稼動壁
3    
バネ押し部材受け
4    
バネ押し部材
5    
スプリング
6    
バネ受け部材
7    
横ブレ防止部材
8    
丸棒
9    
横ブレ防止部材
10  
錠剤一粒収納スペース
11  
開口部
12  
錠剤ケース取り出しツメ
13  
錠剤取り出し機能部侵入防止壁
14  
錠剤ガイドレール
15  
待機錠剤
16  
取り出し待機錠剤
17  
錠剤一粒収納スペース誘導用傾斜
18  
錠剤受け蓋勘合用部材
19  
錠剤受け蓋
【図１】
2011068378.tif 000003
【図２】
2011068378.tif 000004
【図３】
2011068378.tif 000005
【図４】
2011068378.tif 000006
【図５】
2011068378.tif 000007
【図６】
2011068378.tif 000008
【図７】
2011068378.tif 000009
【図８】
2011068378.tif 000010
【図９】
2011068378.tif 000011
【図１０】
2011068378.tif 000012